(57)【要約】【課題】可動役物を任意に移動させる演出、及び当該可動役物を自重によって下方に移動（落下）させる演出を行う際の制御対象を複数必要とせず、制御の簡素化を図ることが可能なパチンコ遊技機の演出役物装置を提供する。【解決手段】移動可能な可動役物１５０と、可動役物１５０を案内するレール１２０と、モータ１４０と、モータ１４０の駆動力によって、レール１２０の案内方向と平行に移動可能な駆動部材１３０と、駆動部材１３０に設けられ、可動役物１５０と連結された連結状態又は当該連結が解除された非連結状態に状態を変更可能な回動部材１６０と、駆動部材１３０が第一の位置Ｐ１まで移動することにより、回動部材１６０を前記連結状態から前記非連結状態に変更させるリブ１１２と、を具備した。【選択図】図７
2014132937.tif 000002
【特許請求の範囲】
【請求項１】
移動可能な可動役物と、
前記可動役物を案内するガイド部と、
駆動源と、
前記駆動源の駆動力によって、前記ガイド部の案内方向に沿って移動可能な駆動伝達部と、
前記駆動伝達部に設けられ、前記可動役物と連結された連結状態又は当該連結が解除された非連結状態に状態を変更可能な連結部と、
前記駆動伝達部が第一の位置まで移動することにより、前記連結部を前記連結状態から前記非連結状態に変更させる第一連結変更手段と、
前記駆動伝達部が前記第一の位置よりも下方の第二の位置まで移動することにより、前記連結部を前記非連結状態から前記連結状態に変更させる第二連結変更手段と、
を具備し、
前記連結部が前記連結状態にある場合において、前記駆動伝達部が前記第一の位置に到達するまでは、前記可動役物を当該駆動伝達部の移動に合わせて移動させることが可能であり、
前記駆動伝達部を前記第一の位置まで移動させることにより、前記連結部を前記連結状態から前記非連結状態に変更し、前記可動役物を自重によって前記ガイド部に沿って下方へと移動させることが可能であり、
前記連結部が非連結状態である場合において、前記駆動伝達部を前記第二の位置まで移動させることにより、前記連結部を前記非連結状態から前記連結状態に変更することが可能であることを特徴とする、
パチンコ遊技機の演出役物装置。
【発明の詳細な説明】
【技術分野】
【０００１】
本発明は、パチンコ遊技機の演出役物装置の技術に関する。
【背景技術】
【０００２】
従来、パチンコ遊技機の演出役物装置の技術は公知となっている。例えば、特許文献１に記載の如くである。
【０００３】
特許文献１には、実施形態の１つとして、上下に昇降可能な可動演出体（可動役物）と、可動演出体を上下に案内する案内手段と、巻き掛け式の駆動手段と、可動演出体と駆動手段とを連結可能な連結手段と、を具備する可動演出役物（演出役物装置）が記載されている。
【０００４】
この駆動手段は、上下一対の案内輪に巻きかけられた無端帯（ベルト等）及び当該案内輪を回転駆動させるモータ（駆動源）を有し、当該モータを駆動させることで無端帯を回転駆動させることができる。
【０００５】
また、連結手段はソレノイドを有し、当該ソレノイドが消磁している時はバネの付勢力により可動演出体と駆動手段（より詳細には、駆動手段の無端帯）とを連結し、当該ソレノイドが励磁している時はバネの付勢力に抗して可動演出体と駆動手段との連結を解除することができる。
【０００６】
このように構成された可動演出役物において、ソレノイドを消磁して可動演出体と駆動手段とを連結させた状態で、駆動手段のモータを任意の方向に駆動させることで、可動演出体を上下方向に任意に移動させることができる。
【０００７】
また、可動演出体と駆動手段とを連結させた状態で可動演出体を任意の位置まで上昇させ、当該位置でソレノイドを励磁することにより、可動演出体と駆動手段との連結を解除し、可動演出体を自重によって下方に移動（落下）させることができる。
【０００８】
このように、特許文献１に記載の可動演出役物は、可動演出体を任意の位置まで上昇させ、当該可動演出体を自重によって下方に移動（落下）させる演出を行うことが可能である。
【０００９】
しかしながら、このような可動演出役物においては、２つの制御対象（すなわち、駆動手段のモータと、連結手段のソレノイド）の動作を組み合わせて制御する必要があるため、演出のための制御が複雑になってしまう点で不利であった。
【先行技術文献】
【特許文献】
【００１０】
【特許文献１】特開２０１２−１９２２２８号公報
【発明の概要】
【発明が解決しようとする課題】
【００１１】
本発明は以上の如き状況に鑑みてなされたものであり、その解決しようとする課題は、可動役物を任意の位置まで移動させ、当該可動役物を自重によって下方に移動（落下）させる演出を行う際の制御対象を複数必要とせず、制御の簡素化を図ることが可能なパチンコ遊技機の演出役物装置を提供することである。
【課題を解決するための手段】
【００１２】
本発明の解決しようとする課題は以上の如くであり、次にこの課題を解決するための手段を説明する。
【００１３】
即ち、請求項１においては、移動可能な可動役物と、前記可動役物を案内するガイド部と、駆動源と、前記駆動源の駆動力によって、前記ガイド部の案内方向に沿って移動可能な駆動伝達部と、前記駆動伝達部に設けられ、前記可動役物と連結された連結状態又は当該連結が解除された非連結状態に状態を変更可能な連結部と、前記駆動伝達部が第一の位置まで移動することにより、前記連結部を前記連結状態から前記非連結状態に変更させる第一連結変更手段と、前記駆動伝達部が前記第一の位置よりも下方の第二の位置まで移動することにより、前記連結部を前記非連結状態から前記連結状態に変更させる第二連結変更手段と、を具備し、前記連結部が前記連結状態にある場合において、前記駆動伝達部が前記第一の位置に到達するまでは、前記可動役物を当該駆動伝達部の移動に合わせて移動させることが可能であり、前記駆動伝達部を前記第一の位置まで移動させることにより、前記連結部を前記連結状態から前記非連結状態に変更し、前記可動役物を自重によって前記ガイド部に沿って下方へと移動させることが可能であり、前記連結部が非連結状態である場合において、前記駆動伝達部を前記第二の位置まで移動させることにより、前記連結部を前記非連結状態から前記連結状態に変更することが可能であるものである。
【発明の効果】
【００１４】
本発明の効果として、以下に示すような効果を奏する。
【００１５】
請求項１においては、可動役物を任意に移動させ、当該可動役物を自重によって下方に移動（落下）させる演出を行う際の制御対象を複数必要とせず、制御の簡素化を図ることができる。
【図面の簡単な説明】
【００１６】
【図１】パチンコ遊技機の全体的な構成を示した正面図。
【図２】同じく、パチンコ遊技機の窓枠が開放された状態を示した前方斜視図。
【図３】同じく、遊技盤を示した正面図。
【図４】演出役物装置を示した正面図。
【図５】同じく、ベース部材を透過させた正面図。
【図６】演出役物装置の分解斜視図。
【図７】演出役物装置の正面拡大図。
【図８】回動部材の正面拡大図。
【図９】可動役物が上下に移動する様子を示した遊技盤の正面図。
【図１０】回動部材がリブに当接した瞬間を示した正面拡大図。
【図１１】回動部材が連結状態から非連結状態に変更された瞬間を示した正面拡大図。
【図１２】可動役物が落下する様子を示した演出役物装置の正面拡大図。
【図１３】同じく、演出役物装置の正面図。
【図１４】同じく、遊技盤の正面図。
【図１５】非連結状態の回動部材が下方に移動する様子を示した演出役物装置の正面拡大図。
【図１６】回動部材が係合部に当接した瞬間を示した正面拡大図。
【図１７】回動部材が係合部によって回動された様子を示した正面拡大図。
【図１８】回動部材が非連結状態から連結状態に変更された瞬間を示した正面拡大図。
【図１９】可動役物がセンター役物の上部から落下する様子を示した遊技盤の正面図。
【図２０】緩衝装置を示した正面図。
【図２１】（ａ）落下してきた可動役物を受けた状態の緩衝装置を示した正面図。（ｂ）可動役物が再び上方へ移動した状態の緩衝装置を示した正面図。
【発明を実施するための形態】
【００１７】
まず、本発明に係るパチンコ遊技機の一実施形態に係る遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１８】
遊技機１は、図１から図３が示すように、主として、外枠２と、中枠３と、窓枠４と、により構成される枠体に、各種の遊技部品が取り付けられて形成される。
【００１９】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００２０】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００２１】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００２２】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００２３】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２４】
次に、遊技盤６の構成について、図３を用いてさらに詳細に説明する。
【００２５】
遊技盤６は、図３に示すように、遊技板１０と、ガイドレール１１と、センター役物１２と、図柄表示装置１３と、可変入賞装置１４と、大入賞装置１５と、アウト口１６と、演出役物装置１００等により構成される。
【００２６】
遊技板１０は、四隅が適宜に切り欠けられた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
【００２７】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２８】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２９】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００３０】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００３１】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００３２】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００３３】
演出役物装置１００は、本発明に係る演出役物装置の一実施形態であり、所定の演出動作を行うことにより、遊技者に視覚的な印象（インパクト）を与え、その遊技者の興趣を高めるものである。演出役物装置１００は、前後方向において、図柄表示装置１３（液晶画面２６）の前方かつセンター役物１２の後方に配置され、液晶画面２６の左方から下方に亘るようにして配置される。
【００３４】
以下では、図３から図８までを用いて、演出役物装置１００の構成について詳細に説明する。
【００３５】
図４及び図５に示す演出役物装置１００は、所定の装飾を上下方向に移動させて遊技者に視認させることで、当該遊技者に視覚的な印象（インパクト）を与え、その遊技者の興趣を高めるものである。演出役物装置１００は、主としてベース部材１１０、レール１２０、駆動部材１３０、モータ１４０、可動役物１５０、回動部材１６０、トーションバネ１７０及び緩衝装置１８０を具備する。
【００３６】
図３から図６までに示すベース部材１１０は、長手方向を上下方向に向けた略矩形板状の部材である。ベース部材１１０は、その板面を前後方向に向けた状態で配置される。ベース部材１１０は、液晶画面２６の左方に配置され、適宜遊技盤６に固定される（図３参照）。ベース部材１１０には、ガイド孔１１１及びリブ１１２が形成される。
【００３７】
図４から図６までに示すガイド孔１１１は、その長手方向を上下方向に向けて形成される正面視略矩形状の長孔である。ガイド孔１１１の上端部近傍及び下端部近傍は、その他の部分（上下中途部）に比べて左方に向けて幅が広くなるように形成される。
【００３８】
図５及び図６に示すリブ１１２は、本発明に係る第一連結変更手段の一実施形態である。リブ１１２は、ベース部材１１０の背面（後面）から後方に向けて立設される板状の部分である。リブ１１２は、その長手方向を上下方向に向けて形成される。リブ１１２は、ガイド孔１１１の左上方に形成される。
【００３９】
なお、以下の説明では適宜、ベース部材１１０を二点鎖線で図示し、又は図示を省略しているが、リブ１１２は説明の便宜上その断面を図示している。
【００４０】
レール１２０は、本発明に係るガイド部の一実施形態である。レール１２０は、その長手方向を上下方向（鉛直方向）に向けた略矩形板状の部材である。レール１２０は、ベース部材１１０の背面の右端部近傍（ガイド孔１１１よりも右方）に固定される。
【００４１】
駆動部材１３０は、本発明に係る駆動伝達部の一実施形態である。駆動部材１３０は、その長手方向を上下方向に向けた略矩形板状の部材である。駆動部材１３０は、正面視においてレール１２０の左方に配置される。駆動部材１３０は、図示せぬ案内手段（他のレール等）によって、上下方向（すなわち、レール１２０の長手方向と平行な方向）に移動可能に案内される。駆動部材１３０には、ラック部１３１及び軸部１３２が形成される。
【００４２】
ラック部１３１は、上下方向に向かって一直線上に歯が形成される部分である。ラック部１３１は、歯を左方に向けて、駆動部材１３０の左側面上端から下端部近傍に亘って形成される。
【００４３】
図５から図８までに示す軸部１３２は、駆動部材１３０の前面から前方に向けて立設される、略円柱状の部分である。軸部１３２は、その長手方向（軸線方向）を前後方向に向けた状態で、駆動部材１３０の右下端部近傍に形成される。軸部１３２は、正面視における左右方向において、ベース部材１１０のリブ１１２のすぐ右側に配置される。
【００４４】
図５から図７までに示すモータ１４０は、本発明に係る駆動源の一実施形態である。モータ１４０は、駆動部材１３０の左後方に配置されると共に、その出力軸を前方に向けた状態で適宜遊技盤６（図３参照）に固定される。モータ１４０の出力軸には、駆動ギヤ１４１が固定される。
【００４５】
駆動ギヤ１４１は、駆動部材１３０のラック部１３１と歯合される。
【００４６】
可動役物１５０は、所定の装飾が施された部材である。可動役物１５０は、主として摺動部１５１、アーム部１５２及び装飾部１５３を具備する。
【００４７】
図５及び図６に示す摺動部１５１は、可動役物１５０の左端部を形成する部分である。摺動部１５１は、その板面を前後方向に向けた略矩形板状に形成される。摺動部１５１は、正面視においてレール１２０の後方に配置される。摺動部１５１には、リブ１５１ａ及び係合部１５１ｂが形成される。
【００４８】
図６及び図７に示すリブ１５１ａは、摺動部１５１の前面から前方に向けて立設される板状の部分である。リブ１５１ａは、正面視においてレール１２０のすぐ左方に配置され、その長手方向を上下方向に向けて形成される。
【００４９】
図６から図８までに示す係合部１５１ｂは、本発明に係る第二連結変更手段の一実施形態である。係合部１５１ｂは、リブ１５１ａの下端部からさらに前方に向けて立設される凸状の部分である。係合部１５１ｂの左下部は、正面視において曲線状に切り欠かれた形状（凹状）となるように形成される。
【００５０】
図５から図７までに示すアーム部１５２は、可動役物１５０の左右中途部を形成する部分である。アーム部１５２は、その板面を前後方向に向けた略矩形板状に形成される。アーム部１５２の板厚（前後方向厚さ）は摺動部１５１の板厚よりも厚くなるように形成される。アーム部１５２は、摺動部１５１の右端部から右方に向かって延設される。アーム部１５２の前面は、摺動部１５１の前面よりも前方に突出した状態で形成される。これによって、摺動部１５１、リブ１５１ａ及びアーム部１５２の間に、平面視凹状の溝が形成されることになる。
【００５１】
図５及び図６に示す装飾部１５３は、可動役物１５０の右端部を形成する部分である。装飾部１５３は、その板面を前後方向に向けた略円形板状に形成される。装飾部１５３は、アーム部１５２の右端に固定される。装飾部１５３の前面には、遊技者に視覚的な印象を与えるための装飾が適宜施される。
【００５２】
このように構成された可動役物１５０は、図５から図７までに示すように、摺動部１５１、リブ１５１ａ及びアーム部１５２によって形成される溝にレール１２０が挿通されるように配置される。このようにして可動役物１５０は、レール１２０によって当該レール１２０の長手方向（すなわち、上下方向）に案内される。
【００５３】
また、可動役物１５０は、レール１２０から右方へと延設されるように配置される。これによって、可動役物１５０（特に、装飾部１５３）は、ベース部材１１０の右方に位置することになり、装飾部１５３はベース部材１１０に隠れることなく正面から視認可能となる。
【００５４】
図５から図８までに示す回動部材１６０は、本発明に係る連結部の一実施形態である。回動部材１６０は、駆動部材１３０と可動役物１５０とを連結することが可能なものである。回動部材１６０は、その板面を前後方向に向けた板状に形成される。回動部材１６０には、貫通孔１６１、係合端部１６２、当接端部１６３及びボス１６４が形成される。
【００５５】
図８に示す貫通孔１６１は、回動部材１６０を前後方向に貫通する、円形断面を有する孔である。
【００５６】
係合端部１６２は、正面視において貫通孔１６１から右上方に向かって延設される部分である。係合端部１６２の右上端部は、正面視において曲線状に突出した形状（凸状）となるように形成される。
【００５７】
当接端部１６３は、正面視において貫通孔１６１から左下方（係合端部１６２と、貫通孔１６１を挟んで略反対側）に向かって延設される部分である。
【００５８】
図６及び図８に示すボス１６４は、回動部材１６０の前面から前方に向けて立設される、略円柱状の部分である。ボス１６４は、その長手方向（軸線方向）を前後方向に向けた状態で、回動部材１６０の右上端部近傍（係合端部１６２）に形成される。
【００５９】
このように構成された回動部材１６０は、駆動部材１３０の前方に配置される。回動部材１６０の貫通孔１６１に、駆動部材１３０の軸部１３２が挿通されることにより、当該回動部材１６０は駆動部材１３０に回動可能に支持される。また、図７に示すように、回動部材１６０のボス１６４は、後方からベース部材１１０のガイド孔１１１に挿通される。
【００６０】
図６から図８までに示すトーションバネ１７０は、回動部材１６０を一方向に付勢するものである。トーションバネ１７０は、駆動部材１３０の軸部１３２に挿通されるようにして当該駆動部材１３０と回動部材１６０との間に配置される。トーションバネ１７０は、回動部材１６０を正面視時計回りに常時付勢する。これによって回動部材１６０は、ボス１６４がガイド孔１１１の右側部に当接した状態に保持される。
【００６１】
図５に示す緩衝装置１８０は、可動役物１５０が最下部まで移動する際の衝撃を緩和するためのものである。緩衝装置１８０は、ベース部材１１０の下端部の後方に配置される。緩衝装置１８０については、後ほど詳述する。
【００６２】
以下では、図３及び図５、並びに図７から図１８までを用いて、演出役物装置１００の動作態様について詳細に説明する。
【００６３】
演出役物装置１００の回動部材１６０は、「連結状態」又は「非連結状態」に状態を変更することが可能である。まず、図７から図９までを用いて、回動部材１６０が「連結状態」である場合について説明する。
【００６４】
ここで、回動部材１６０の「連結状態」とは、当該回動部材１６０が駆動部材１３０と可動役物１５０とを連結し、駆動部材１３０の移動に伴って可動役物１５０も移動させることが可能な状態を言う。
【００６５】
回動部材１６０が連結状態にある場合、図７及び図８に示すように、当該回動部材１６０は、トーションバネ１７０によってボス１６４がガイド孔１１１の右側部に当接するまで正面視時計回りに回動（付勢）されている。この状態において、当該回動部材１６０の係合端部１６２（凸状の部分）が、可動役物１５０の係合部１５１ｂ（凹状の部分）に下方から当接し、当該回動部材１６０と可動役物１５０とが係合する。
【００６６】
この状態においては、可動役物１５０は自重（重力）によってレール１２０に沿うようにして下方へと移動（落下）しようとするが、当該可動役物１５０を回動部材１６０が下方から支持することになる。これによって、可動役物１５０は回動部材１６０と係合した位置で保持される。
【００６７】
このように回動部材１６０が連結状態にある場合、当該回動部材１６０を上下方向に移動させると、当該回動部材１６０と共に可動役物１５０も上下方向に移動することになる。すなわち、回動部材１６０と可動役物１５０とが連結されることになる。
【００６８】
具体的には、図７に示すモータ１４０を任意の方向に回転駆動させると、当該モータ１４０の駆動力が駆動ギヤ１４１及びラック部１３１を介して駆動部材１３０に伝達され、当該駆動部材１３０が上下いずれかの方向に移動する。駆動部材１３０が上下いずれかの方向に移動すると、当該駆動部材１３０に支持された回動部材１６０も共に上下いずれかの方向に移動し、ひいては可動役物１５０も上下いずれかの方向に移動する（図９参照）。
【００６９】
例えば、図３に示すように、通常は可動役物１５０を移動可能な最下部まで移動させている。可動役物１５０が最下位置にある場合、可動役物１５０はその大部分がセンター役物１２の下部の背後に隠れており、遊技者から視認が困難となる。
【００７０】
また、図９に示すように、所定のタイミングにおいて、センター役物１２のセンター開口部２７を介して正面から可動役物１５０が視認可能（容易）な位置で、当該可動役物１５０を上下方向に任意に（但し、後述する第一の位置Ｐ１よりも下の位置で）移動させることで、当該可動役物１５０の動きを遊技者に視認させることができ、当該遊技者に視覚的な印象を与えることができる。
【００７１】
次に、図１０及び図１１を用いて、回動部材１６０が連結状態から非連結状態に状態を変更する様子について説明する。
【００７２】
モータ１４０を回転駆動させ、駆動部材１３０を上方へと移動させると、当該駆動部材１３０に支持された回動部材１６０も上方へと移動する。回動部材１６０が上方へと移動し続けると、図１０に示すように、当該回動部材１６０の当接端部１６３にベース部材１１０のリブ１１２が上方から当接する。
【００７３】
さらに回動部材１６０が上方へと移動すると、図１１に示すように、当該回動部材１６０の当接端部１６３がリブ１１２によって下方へと押圧される。これによって、回動部材１６０は、トーションバネ１７０の付勢力に抗して正面視反時計回りに回動する。この際、ベース部材１１０のガイド孔１１１の上端部近傍は、左方に向けて幅が広くなるように形成されているため、回動部材１６０のボス１６４が当該ガイド孔１１１に接触して当該回動部材１６０の回動を阻害することはない。
【００７４】
回動部材１６０が正面視反時計回りに回動すると、可動役物１５０の係合部１５１ｂに下方から当接していた当該回動部材１６０の係合端部１６２が左方に移動するため、当該係合端部１６２と係合部１５１ｂとの係合が解除される。
【００７５】
このように、回動部材１６０の係合端部１６２と可動役物１５０の係合部１５１ｂとの係合（連結）が解除された状態を、回動部材１６０の「非連結状態」と言う。また、図１１に示すように、回動部材１６０が上方へと移動し、当該回動部材１６０と可動役物１５０との係合が解除されるとき（連結状態から非連結状態に変更されるとき）の駆動部材１３０の上下方向位置（本実施形態においては、便宜上、軸部１３２の上下方向位置を駆動部材１３０の上下方向位置として説明を行う）を、第一の位置Ｐ１とする。
【００７６】
次に、図５、並びに図１２から図１４までを用いて、回動部材１６０が連結状態から非連結状態に状態を変更した後の様子について説明する。
【００７７】
図１１に示すように回動部材１６０が非連結状態に変更されると、当該回動部材１６０と可動役物１５０との連結が解除されるため、当該可動役物１５０は自重（重力）によってレール１２０に沿うようにして下方へと移動（落下）する（図１２及び図１３参照）。
【００７８】
可動役物１５０が移動可能な最下部まで移動（落下）すると、当該可動役物１５０は下方に配置された緩衝装置１８０（図５参照）によって落下の衝撃を緩和され、最下位置で停止する。可動役物１５０が最下位置にある場合、図１４に示すように、可動役物１５０はその大部分がセンター役物１２の下部の背後に隠れており、遊技者から視認が困難となる。従って、上述の如く可動役物１５０を落下させて遊技者の視界から消える様子を当該遊技者に視認させることができ、当該遊技者に視覚的な印象を与えることができる。
【００７９】
次に、図１５から図１８までを用いて、回動部材１６０が非連結状態から連結状態に状態を変更する様子について説明する。
【００８０】
可動役物１５０が最下部まで移動（落下）した後、図１５に示すように、モータ１４０を回転駆動させ、駆動部材１３０及び回動部材１６０を下方へと移動させる。回動部材１６０が可動役物１５０の下端部近傍まで下方に移動すると、図１６に示すように、当該回動部材１６０の係合端部１６２に可動役物１５０の係合部１５１ｂが下方から当接する。
【００８１】
さらに回動部材１６０が下方へと移動すると、図１７に示すように、当該回動部材１６０の係合端部１６２が係合部１５１ｂによって上方へと押圧される。これによって、回動部材１６０は、トーションバネ１７０の付勢力に抗して正面視反時計回りに回動する。この際、ベース部材１１０のガイド孔１１１の下端部近傍は、左方に向けて幅が広くなるように形成されているため、回動部材１６０のボス１６４が当該ガイド孔１１１に接触して当該回動部材１６０の回動を阻害することはない。
【００８２】
さらに駆動部材１３０が下方へと移動すると、回動部材１６０は係合端部１６２を係合部１５１ｂに当接させながら当該係合部１５１ｂの左側を下方へと移動する。そして、図１８に示すように、回動部材１６０が係合部１５１ｂより下方まで移動した時点で、トーションバネ１７０の付勢力によってボス１６４がガイド孔１１１の右側部に当接するまで正面視時計回りに回動する。これによって、再び回動部材１６０の係合端部１６２（凸状の部分）が、可動役物１５０の係合部１５１ｂ（凹状の部分）に下方から当接し、当該回動部材１６０と可動役物１５０とが係合する。すなわち、回動部材１６０が連結状態となる。
【００８３】
図１８に示すように、回動部材１６０が下方へと移動し、当該回動部材１６０と可動役物１５０とが再び係合するとき（非連結状態から連結状態に変更されるとき）の駆動部材１３０の上下方向位置（本実施形態においては、便宜上、軸部１３２の上下方向位置を駆動部材１３０の上下方向位置として説明を行う）を、第二の位置Ｐ２とする。
【００８４】
このように回動部材１６０が連結状態に変更された後に、駆動部材１３０を上方へ移動させることで、再び可動役物１５０を上方へと移動させ、センター役物１２のセンター開口部２７を介して正面から可動役物１５０を視認可能（容易）とすることができる（図９等参照）。
【００８５】
以上の如く、本実施形態に係る遊技機１（パチンコ遊技機）の演出役物装置１００は、移動可能な可動役物１５０と、可動役物１５０を案内するレール１２０（ガイド部）と、モータ１４０（駆動源）と、モータ１４０の駆動力によって、レール１２０の案内方向に沿って移動可能な駆動部材１３０（駆動伝達部）と、駆動部材１３０に設けられ、可動役物１５０と連結された連結状態又は当該連結が解除された非連結状態に状態を変更可能な回動部材１６０（連結部）と、駆動部材１３０が第一の位置Ｐ１まで移動することにより、回動部材１６０を前記連結状態から前記非連結状態に変更させるリブ１１２（第一連結変更手段）と、
駆動部材１３０が前記第一の位置よりも下方の第二の位置まで移動することにより、回動部材１６０を前記非連結状態から前記連結状態に変更させる係合部１５１ｂ（第二連結変更手段）と、
を具備し、回動部材１６０が前記連結状態にある場合において、駆動部材１３０が第一の位置Ｐ１に到達するまでは、可動役物１５０を当該駆動部材１３０の移動に合わせて移動させることが可能であり、駆動部材１３０を第一の位置Ｐ１まで移動させることにより、回動部材１６０を前記連結状態から前記非連結状態に変更し、可動役物１５０を自重によってレール１２０に沿って下方へと移動させることが可能であり、回動部材１６０が非連結状態である場合において、駆動部材１３０を第二の位置Ｐ２まで移動させることにより、回動部材１６０を前記非連結状態から前記連結状態に変更することが可能であるものである。
【００８６】
このように構成することにより、可動役物１５０を上下（水平方向を除くいずれかの方向）に任意に移動させ、当該可動役物１５０を自重によって下方に移動（落下）させる演出を行う際の制御対象（本実施形態においては、モータ１４０）を複数必要とせず、制御の簡素化を図ることができる。
また、１つの制御対象（モータ１４０）の動作を制御することで、可動役物１５０を上下に移動させる演出と当該可動役物１５０を自重によって下方に落下させる演出の２種類の演出を行うことができ、２つの演出を行う際の制御の簡素化を図ることができる。
【００８７】
なお、可動役物（可動役物１５０）、ガイド部（レール１２０）、駆動伝達部（駆動部材１３０）、連結部（回動部材１６０）及び第一連結変更手段（リブ１１２）の形状や配置等は本実施形態に係るものに限定するものではなく、本発明の効果を奏することができれば任意に構成することが可能である。
【００８８】
また、駆動源はモータ１４０に限るものではなく、駆動部材１３０を上下方向に移動させることができるものであれば、その他の駆動源（例えば、空圧アクチュエータ、油圧アクチュエータ、ソレノイド等）であっても良い。
【００８９】
また、本実施形態においては、レール１２０は可動役物１５０を上下方向（鉛直方向）に案内するものとしたが、本発明はこれに限るものではない。すなわち、可動役物１５０が自重（重力）によって下方に移動することができる方向、すなわち水平方向と交差する方向（水平方向を除くいずれかの方向）に案内するものであれば良い。
【００９０】
また、本実施形態においては、駆動部材１３０はレール１２０の案内方向（上下方向）と平行な方向に移動可能であるものとしたが、本発明はこれに限るものではない。すなわち駆動部材１３０は、レール１２０の案内方向に概ね沿って移動することで、回動部材１６０を連結状態に維持したまま移動させ、また所定の位置（第一の位置Ｐ１及び第二の位置Ｐ２）において当該回動部材１６０の状態を切り換えることができるものであれば、必ずしもレール１２０の案内方向と平行な方向に移動するものでなくても良い。
【００９１】
また、本実施形態においては、回動部材１６０を連結状態から非連結状態に変更することで、可動役物１５０を遊技者から視認困難な位置まで移動（落下）させるものとした（図１４等参照）が、本発明はこれに限るものではない。
【００９２】
例えば、図１９に示すように、通常は、回動部材１６０を連結状態とした状態で、可動役物１５０をセンター役物１２の上部の背後に保持する。そして、所定のタイミングでセンター役物１２のセンター開口部２７を介して正面から視認可能（容易）な位置まで可動役物１５０を下方に移動させる構成とすることも可能である。
【００９３】
この場合、回動部材１６０を連結状態としたまま駆動部材１３０を任意の速度で下方に移動させれば、可動役物１５０を任意の速度で下方に移動させることができる。
また、回動部材１６０を連結状態から非連結状態に変更すれば、可動役物１５０を自重によって落下させることができる。
【００９４】
すなわち、可動役物１５０が任意の速度で下方に移動する様子と、自重によって落下する様子と、を遊技者に視認させることができ、当該遊技者にそれぞれ異なる印象を与えることができる。
【００９５】
さらに、回動部材１６０を連結状態としたまま駆動部材１３０を上下に任意に（但し、第一の位置Ｐ１よりも下の位置で）移動させることで、当該可動役物１５０の動きを遊技者に視認させることができ、当該遊技者に視覚的な印象を与えることもできる。
【００９６】
以下では、図５、図２０及び図２１を用いて、前述の緩衝装置１８０について詳細に説明する。
【００９７】
まず、緩衝装置１８０の構成について説明する。
【００９８】
図２０に示す緩衝装置１８０は、可動役物１５０が自重（重力）により最下部まで移動（落下）する際の衝撃を緩和し、当該可動役物１５０の損傷を防ぐためのものである。緩衝装置１８０は、ベース部材１１０の下端部の後方、かつ最下部まで移動した可動役物１５０の後方に配置される（図５参照）。緩衝装置１８０は、主としてベース部材１８１、摺動部材１８２、バネ１８３及びロータリダンパ１８４を具備する。
【００９９】
ベース部材１８１は、長手方向を上下方向に向けた略矩形板状の部材である。ベース部材１８１は、その板面を前後方向に向けた状態で配置される。ベース部材１８１には、ボス１８１ａ・１８１ａ及び係合部１８１ｂが形成される。
【０１００】
ボス１８１ａは、ベース部材１８１の前面から前方に向けて立設される、略円柱状の部分である。ボス１８１ａ・１８１ａは、その長手方向（軸線方向）を前後方向に向けた状態で、ベース部材１８１の左下端部近傍に、上下に２つ並べて形成される。
【０１０１】
係合部１８１ｂは、ベース部材１８１の前面に形成される、上向きのフック状の部分である。
【０１０２】
摺動部材１８２は、長手方向を上下方向に向けた略矩形板状の部材である。摺動部材１８２は、その板面を前後方向に向けた状態でベース部材１８１の前方に配置される。摺動部材１８２には、長孔１８２ａ・１８２ａ、当接部１８２ｂ、係合部１８２ｃ及びラック部１８２ｄが形成される。
【０１０３】
長孔１８２ａは、その長手方向を上下方向に向けて形成される正面視略矩形状の孔である。長孔１８２ａ・１８２ａは、上下に２つ並べて形成される。当該長孔１８２ａ・１８２ａの間隔は、ボス１８１ａ・１８１ａの間隔と同じになるように形成される。当該長孔１８２ａ・１８２ａには、それぞれボス１８１ａ・１８１ａが挿通される。これによって、摺動部材１８２が上下方向に摺動可能に案内される。
【０１０４】
当接部１８２ｂは、摺動部材１８２の前面から前方に向かって突出するように形成された凸部である。当接部１８２ｂは、摺動部材１８２の左下部に形成される。当接部１８２ｂは、可動役物１５０の背面から後方に向かって突出するように形成された当接部１５０ａ（図２１参照）の下方に配置される。
【０１０５】
係合部１８２ｃは、下向きのフック状の部分である。係合部１８２ｃは、摺動部材１８２の右側部に形成され、正面視においてベース部材１８１の係合部１８１ｂの下方に配置される。
【０１０６】
ラック部１８２ｄは、上下方向に向かって一直線上に歯が形成される部分である。ラック部１８２ｄは、歯を右方に向けて、摺動部材１８２の右側面上下中途部から下端部に亘って形成される。
【０１０７】
バネ１８３は、その一端（上端）をベース部材１８１の係合部１８１ｂに、その他端（下端）を摺動部材１８２の係合部１８２ｃに、それぞれ係合される引っ張りコイルバネである。このようにして、バネ１８３は、摺動部材１８２を常時上方に向かって付勢する。
【０１０８】
ロータリダンパ１８４は、オイルの粘性抵抗による制動力を利用して、衝撃を緩和するものである。ロータリダンパ１８４はギヤ１８４ａを有する。当該ギヤ１８４ａは、摺動部材１８２のラック部１８２ｄと歯合される。
【０１０９】
次に、図２１を用いて、緩衝装置１８０が可動役物１５０が自重により最下部まで移動（落下）する際の衝撃を緩和する様子について説明する。
【０１１０】
前述のように、可動役物１５０が自重により下方に移動（落下）すると、図２１（ａ）に示すように、当該可動役物１５０の当接部１５０ａが摺動部材１８２の当接部１８２ｂに上方から当接する。
【０１１１】
落下してきた可動役物１５０が摺動部材１８２に上方から当接すると、当該可動役物１５０によって摺動部材１８２は下方へと摺動される。しかし、当該摺動部材１８２はラック部１８２ｄ及びギヤ１８４ａを介してロータリダンパ１８４に連結されているため、当該ロータリダンパ１８４によって可動役物１５０の落下の衝撃が緩和される。これによって、摺動部材１８２はゆっくりと最下部まで移動する。
【０１１２】
このように、可動役物１５０が下方に移動（落下）した際の衝撃を、緩衝装置１８０によって緩和し、当該可動役物１５０の損傷等を防止することができる。
【０１１３】
また、可動役物１５０が再び上方へ移動すると、図２１（ｂ）に示すように、摺動部材１８２はバネ１８３の付勢力によってゆっくりと最上部まで移動（摺動）する。このようにして、可動役物１５０が上方へ移動した場合には、摺動部材１８２は可動役物１５０の落下に備えて再び最上部まで移動する。
【０１１４】
なお、当接部１８２ｂは可動役物１５０の当接部１５０ａと当接するものとしたが、可動役物１５０の他の部分と当接する構成としても良い。すなわち、当接部１８２ｂは可動役物１５０に下方から当接するものであれば、その当接する部位は可動役物１５０のどの部位であっても良い。
【符号の説明】
【０１１５】
１：遊技機，１００：演出役物装置，１１０：ベース部材，１１２：リブ，１２０：レール，１３０：駆動部材，１４０：モータ，１５０：可動役物，１６０：回動部材
【図１】
2014132937.tif 000003
【図２】
2014132937.tif 000004
【図３】
2014132937.tif 000005
【図４】
2014132937.tif 000006
【図５】
2014132937.tif 000007
【図６】
2014132937.tif 000008
【図７】
2014132937.tif 000009
【図８】
2014132937.tif 000010
【図９】
2014132937.tif 000011
【図１０】
2014132937.tif 000012
【図１１】
2014132937.tif 000013
【図１２】
2014132937.tif 000014
【図１３】
2014132937.tif 000015
【図１４】
2014132937.tif 000016
【図１５】
2014132937.tif 000017
【図１６】
2014132937.tif 000018
【図１７】
2014132937.tif 000019
【図１８】
2014132937.tif 000020
【図１９】
2014132937.tif 000021
【図２０】
2014132937.tif 000022
【図２１】
2014132937.tif 000023